(57)【特許請求の範囲】
【請求項１】
複数のクライアント端末と、
前記複数のクライアント端末の無線通信情報と前記複数のクライアント端末の端末識別情報とを記憶する記憶部と、
前記無線通信情報と前記端末識別情報とに基づいて前記複数のクライアント端末と無線通信を行う無線ＬＡＮ通信部と、
ワイドエリアネットワークに接続するＷＡＮ側インターフェースと、
前記無線ＬＡＮ通信部を介した前記複数のクライアント端末との通信、および、前記ＷＡＮ側インターフェースを介した前記ワイドエリアネットワークとの通信を制御し、前記複数のクライアント端末と前記ワイドエリアネットワークとの通信の仲介する無線ＬＡＮ制御部と、
前記クライアント端末からの表示データを、外部の表示装置の表示仕様に応じた再生データに変換する再生制御部と、
前記再生データを前記表示装置に出力する外部表示ＩＦと、を備えた無線ＬＡＮアクセスポイントと、
を備え、
前記複数のクライアント端末は、前記表示データに利用するデータを、前記無線ＬＡＮ通信部および前記ＷＡＮ側インターフェースを介して、前記ワイドエリアネットワークから取得し、
前記無線ＬＡＮ制御部は、
前記クライアント端末が前記ワイドエリアネットワークから前記表示データに利用するデータを取得する通信と、前記クライアント端末が前記表示データを前記無線ＬＡＮ通信部に送信する通信とにおいて、共通の前記無線通信情報を用い、
前記複数のクライアント端末の通信データを受信すると、前記端末識別情報が前記記憶部に記憶されており、前記通信データに表示データ転送コマンドが含まれていれば、前記通信データに含まれる前記表示データを前記再生制御部に出力し、前記端末識別情報が記憶されていなければ、前記通信データを破棄する、
表示データ転送システム。
【請求項２】
請求項１に記載の表示データ転送システムであって、
前記無線通信情報は、ＳＳＩＤ、および暗号化キーを含む、
表示データ転送システム。
【請求項３】
請求項１または請求項２に記載の表示データ転送システムであって、
前記記憶部は、前記クライアント端末毎に、前記再生データへの変換仕様を記憶しており、
前記無線ＬＡＮ制御部が前記表示データの転送元のクライアント端末の切り替えを受け付けると、
前記再生制御部は、
前記記憶部に記憶されている前記変換仕様を読み出して、新たなクライアント端末から前記無線通信を介して取得した表示データを、外部の表示装置の表示仕様に応じた再生データに変換する、
表示データ転送システム。
【請求項４】
複数のクライアント端末の無線通信情報と前記複数のクライアント端末の端末識別情報とを記憶する記憶工程と、
前記無線通信情報と前記端末識別情報とに基づいて前記複数のクライアント端末と無線通信を行う無線ＬＡＮ通信工程と、
前記複数のクライアント端末を前記無線通信を介してワイドエリアネットワークに接続し、表示データに利用するデータを取得して、前記クライアント端末に出力する工程と、
前記クライアント端末が前記ワイドエリアネットワークから取得した前記データを含む前記クライアント端末の表示データを前記無線通信を用いて取得する工程と、
前記クライアント端末の表示データを外部の表示装置の表示仕様に応じた再生データに変換する工程と、
前記再生データを前記表示装置に出力する工程と、
を有し、
前記クライアント端末が前記ワイドエリアネットワークから前記表示データを取得する通信と、前記クライアント端末から前記表示データを取得する通信とにおいて、共通の前記無線通信情報を用い、
前記複数のクライアント端末の通信データを受信すると、前記端末識別情報が予め記憶されており、前記通信データに表示データ転送コマンドが含まれていれば、前記通信データに含まれる前記表示データを前記再生データに変換し、前記端末識別情報が記憶されていなければ、前記通信データを破棄する、
表示データ転送方法。
【請求項５】
請求項４に記載の表示データ転送方法であって、
前記無線通信情報は、ＳＳＩＤ、および暗号化キーを含む、
表示データ転送方法。
【請求項６】
請求項４または請求項５に記載の表示データ転送方法であって、
前記記憶工程では、前記クライアント端末毎に前記再生データへの変換仕様を記憶しており、
前記無線ＬＡＮ通信工程において、前記表示データの転送元のクライアント端末の切り替えを受け付けると、
前記再生データに変換する工程では、
前記記憶工程において記憶されている前記変換仕様を読み出して、新たなクライアント端末から前記無線通信を介して取得した表示データを、外部の表示装置の表示仕様に応じた再生データに変換する、
表示データ転送方法。
【請求項７】
クライアント端末から送信された表示データを外部の表示装置に表示させる処理を無線ＬＡＮアクセスポイントに実行させる表示データ転送プログラムであって、
前記無線ＬＡＮアクセスポイントは、
複数のクライアント端末の無線通信情報と前記複数のクライアント端末の端末識別情報とを記憶する記憶処理と、
前記無線通信情報と前記端末識別情報とに基づいて前記複数のクライアント端末と無線通信を行う無線ＬＡＮ通信処理と、
前記クライアント端末を前記無線通信を介してワイドエリアネットワークに接続し、表示データに利用するデータを取得して、前記クライアント端末に出力する処理と、
前記クライアント端末が前記ワイドエリアネットワークから取得した前記データを含む前記クライアント端末の表示データを前記無線通信を用いて取得する処理と、
前記クライアント端末の表示データを外部の表示装置の表示仕様に応じた再生データに変換する処理と、
前記再生データを前記表示装置に出力する処理と、
を実行し、
前記無線ＬＡＮ通信処理では、
前記クライアント端末が前記ワイドエリアネットワークから前記表示データを取得する通信と、前記クライアント端末から前記表示データを取得する通信とにおいて、共通の前記無線通信情報を用い、
前記複数のクライアント端末の通信データを受信すると、前記端末識別情報が予め記憶されており、前記通信データに表示データ転送コマンドが含まれていれば、前記通信データに含まれる前記表示データを前記再生データに変換し、前記端末識別情報が記憶されていなければ、前記通信データを破棄する、
表示データ転送プログラム。
【発明の詳細な説明】
【技術分野】
【０００１】
本発明は、無線通信によって端末をＷＡＮ側の端末、サーバ等に接続する無線ＬＡＮアクセスポイントに関する。
【背景技術】
【０００２】
従来、各種の無線ＬＡＮアクセスポイントが実用化されている。そして、現在では、特許文献１、２に記載されているように、無線通信端末が無線ＬＡＮを介して取得した動画等をテレビジョン装置等の大型の表示器に転送して表示させる動画転送システムが普及しつつある。【０００３】
これらの動画転送システムは、概ね図６に示すシステム構成である。図６は、従来の動画転送システムの構成を示す図である。【０００４】
動画転送システムは、無線ＬＡＮアクセスポイント（無線ＬＡＮＡＰ）１０Ｐ、タブレット端末９１１、ＳＴＢ（セットトップボックス）９０Ｐ、表示装置９２を備える。【０００５】
タブレット端末９１１は、無線通信機能を有する。タブレット端末９１１は、無線ＬＡＮＡＰ１０Ｐと無線通信することによって、ＷＡＮ側（例えばネットワーク９００）のサーバ、端末等に接続する。タブレット端末９１１は、ＳＴＢ９０Ｐとも無線通信する。タブレット端末９１１は、ＳＴＢ９０Ｐに対して表示データや表示動画データを送信する。ＳＴＢ９０Ｐは、受信した表示データや表示動画データから、表示装置９２の仕様に対応した映像信号、音声信号、制御信号を生成する。ＳＴＢ９０Ｐは、伝送ケーブル９３を介して、映像信号、音声信号、制御信号に表示装置９２に出力する。表示装置９２は、映像信号、音声信号、制御信号を用いて、画像や動画を表示する。
【先行技術文献】
【特許文献】
【０００６】
【特許文献１】特開２０１４−２２２４３２号公報
【特許文献２】特開２０１４−７８７７１号公報
【発明の概要】
【発明が解決しようとする課題】
【０００７】
しかしながら、従来の画像／動画転送システムでは、ＳＴＢ９０Ｐは、タブレット端末９１１に対して、１対１の通信しか行うことができない。したがって、画像や動画を転送するタブレット端末９１１が切り替わる毎に、ＳＴＢ９０Ｐは、それまで接続していたタブレット端末９１１との無線通信を遮断して、新たなタブレット端末９１１との無線通信を確立しなければならない。【０００８】
また、タブレット端末９１１と無線ＬＡＮＡＰ１０Ｐとの無線通信と、タブレット端末９１１とＳＴＢ９０Ｐとの無線通信は、別個の通信である。例えば、タブレット端末９１１が無線ＬＡＮＡＰ１０Ｐを介して取得した画像をＳＴＢ９０Ｐに転送する場合、タブレット端末９１１が無線ＬＡＮＡＰ１０Ｐと無線通信を行う際に用いるＳＳＩＤと、ＳＴＢ９０Ｐと無線通信を行う際に用いるＳＳＩＤとの複数のＳＳＩＤを用いる必要がある。これは、無線通信用の周波数においても同様である。【０００９】
しかしながら、汎用のタブレット端末９１１では、単一のＳＳＩＤおよび周波数で無線通信を行う。そして、この場合、ＳＴＢ９０Ｐは、タブレット端末９１１と無線ＬＡＮＡＰ１０Ｐとの無線通信で用いられる周波数とＳＳＩＤを用いてタブレット端末９１１と無線通信を行う。このため、ＳＴＢ９０Ｐは、タブレット端末９１１との無線通信のために、タブレット端末９１１と無線ＬＡＮＡＰ１０Ｐとの無線通信で用いられている周波数とＳＳＩＤを確認、またはサーチする必要がある。したがって、タブレット端末９１１とＳＴＢ９０Ｐとの無線通信には時間がかかってしまう。特に、複数のタブレット端末９１１から表示装置９２に表示させる１つのタブレット端末９１１を適宜選択、切り替えて使用するような場合には、切り替えに時間がかかってしまい、そもそもこのような使用に適さないといったことがあった。【００１０】
また、ＳＴＢ９０Ｐは、タブレット端末９１１との無線接続を確立するためにビーコンを送信する。このため、表示データや表示動画データの送信用の無線通信帯域が、ビーコン等によって制限されてしまい、画像や動画の表示遅れが生じてしまうことがある。【００１１】
さらに、上述の従来の構成では、セキュリティー性を向上させることが容易ではない。【００１２】
したがって、本発明の目的は、セキュリティー性を高く確保し、且つ、無線接続にかかる時間を短くし、外部の表示装置への画像や動画の表示開始の遅れを抑制可能な表示データの転送機能を有する無線ＬＡＮアクセスポイントを提供することにある。
【課題を解決するための手段】
【００１３】
この発明の無線ＬＡＮアクセスポイントは、記憶部、無線ＬＡＮ通信部、ＷＡＮ側インターフェース、再生制御部、および、外部表示ＩＦを備える。記憶部には、クライアント端末の無線通信情報が記憶されている。無線ＬＡＮ通信部は、無線通信情報に基づいてクライアント端末と無線通信を行う。ＷＡＮ側インターフェースは、クライアント端末を無線ＬＡＮ通信部を介してワイドエリアネットワークに接続する。再生制御部は、クライアント端末から無線通信を介して取得した表示データを、外部の表示装置の表示仕様に応じた再生データに変換する。外部表示ＩＦは、再生データを表示装置に出力する。【００１４】
この構成では、表示データの転送を行う毎にネゴシエーションを行う必要が無い。したがって、セキュリティー性を確保しながら、クライアント端末からの表示データの転送開始の遅延を抑制することができる。
【発明の効果】
【００１５】
この発明によれば、セキュリティー性を高く確保し、且つ、外部の表示装置への画像や動画の表示開始の遅れを抑制することができる。
【図面の簡単な説明】
【００１６】
【図１】本発明の実施形態に係る無線ＬＡＮアクセスポイントを含む表示データ転送システムの構成を示す図
【図２】本発明の実施形態に係る無線ＬＡＮアクセスポイントを含む表示データ転送システムの構成を機能ブロック図
【図３】本発明の実施形態に係る無線ＬＡＮアクセスポイントの記憶部に記憶されているデータの例を示す図
【図４】本発明の実施形態に係る無線ＬＡＮアクセスポイントの処理を示すフローチャート
【図５】本発明の実施形態に係る無線ＬＡＮアクセスポイントにおける表示データの転送元の切替処理を示すフローチャート
【図６】従来の動画転送システムの構成を示す図
【発明を実施するための形態】
【００１７】
本発明の実施形態に係る無線ＬＡＮアクセスポイントおよび表示データ転送システムについて、図を参照して説明する。なお、本実施形態で示す表示データとは、クライアント端末の画面（表示器）に表示されるデータを示し、例えば、動画を含む表示データや画像を含む表示データである。図１は、本発明の実施形態に係る無線ＬＡＮアクセスポイントを含む表示データ転送システムの構成を示す図である。
【００１８】
表示データ転送システムは、無線ＬＡＮアクセスポイント（以下、無線ＬＡＮＡＰと称する）１０、複数のタブレット端末（本願発明のクライアント端末に相当する。）９１１，９１２，９１３を備える。複数のタブレット端末９１１，９１２，９１３は、無線ＬＡＮＡＰ１０のＳＳＩＤと暗号化機能を用いて、無線ＬＡＮＡＰ１０と無線通信している。ここで、図１に示すように、タブレット端末９１４Ｎは、無線ＬＡＮＡＰ１０との間で認証が行われていないので、無線ＬＡＮＡＰ１０と無線通信を行うことができない。このように、本実施形態の表示データ転送システムでは、無線ＬＡＮＡＰ１０によって認証されていないタブレット端末９１４Ｎからの表示データの転送を受け付けない。したがって、セキュリティー性の高い表示データ転送システムを実現することができる。なお、このタブレット端末の認証は、無線ＬＡＮＡＰ１０のＷＡＮ側に接続された表示データ転送システムの上位サーバによって行ってもよい。
【００１９】
無線ＬＡＮＡＰ１０は、伝送ケーブル９３を介して表示装置９２に接続されている。伝送ケーブル９３は、例えばＨＤＭＩ（登録商標）ケーブルである。表示装置９２は、例えばテレビジョン装置等であり、伝送ケーブル９３を介して入力される映像信号、音声信号、制御信号に基づいて、タブレット端末９１１，９１２，９１３のいずれかから無線ＬＡＮＡＰ１０を介して転送された表示データ（画像や動画）を表示する。
【００２０】
無線ＬＡＮＡＰ１０は、ネットワーク９００に接続している。無線ＬＡＮＡＰ１０は、タブレット端末９１１，９１２，９１３からネットワーク９００の機器へのデータ通信要求を受ければ、タブレット端末９１１，９１２，９１３をネットワーク９００の機器へ接続制御を実行する。また、無線ＬＡＮＡＰ１０は、無線ＬＡＮ内のタブレット端末９１１，９１２，９１３間のデータ通信の制御も実行する。
【００２１】
このような構成とすることによって、タブレット端末の表示データの転送システムを簡素化することができる。また、無線ＬＡＮの無線通信機能を実現しながら、表示データの転送（ミラーリング）を、容易に実現することができる。
【００２２】
次に、無線ＬＡＮＡＰ１０の具体的な構成について、図２を参照して説明する。図２は、本発明の実施形態に係る無線ＬＡＮアクセスポイントを含む表示データ転送システムの構成を機能ブロック図である。図３は、本発明の実施形態に係る無線ＬＡＮアクセスポイントの記憶部に記憶されているデータの例を示す図である。
【００２３】
無線ＬＡＮＡＰ１０は、制御部１１、無線ＬＡＮ通信部１２、ＷＡＮ側ＩＦ１３、外部表示ＩＦ１４、および、記憶部１５を備える。制御部１１は、無線ＬＡＮ制御部１１１、および、再生制御部１１２を備える。
【００２４】
無線ＬＡＮ制御部１１１と再生制御部１１２は、接続されている。無線ＬＡＮ制御部１１１と再生制御部１１２は、記憶部１５に接続されている。無線ＬＡＮ制御部１１１は、無線ＬＡＮ通信部１２およびＷＡＮ側ＩＦ１３に接続されている。再生制御部１１２は、外部表示ＩＦ１４に接続されている。
【００２５】
無線ＬＡＮ通信部１２は、無線用アンテナを備え、タブレット端末９１１，９１２，９１３との間の無線通信を実行する。ＷＡＮ側ＩＦ１３は、ネットワーク９００側に接続する接続端子である。
【００２６】
記憶部１５には、図３に示すように、無線ＬＡＮＡＰ１０のＳＳＩＤ、暗号化キー、および通信周波数帯域等の無線通信情報が記憶されている。記憶部１５は、事前に接続登録されているタブレット端末９１１，９１２，９１３のＭＡＣアドレス（端末識別情報）、タブレット端末９１１，９１２，９１３毎の変換仕様が記憶されている。変換仕様とは、タブレット端末９１１，９１２，９１３から転送された表示データの仕様（解像度、階調）を、表示装置９２の表示仕様（解像度、階調）に応じた再生データ（映像信号、制御信号の元データ）に変換する仕様である。なお、再生データには、音声信号も含まれている。タブレット端末９１１の動画の音声仕様を表示装置９２の音声仕様に変換する必要がある場合には、音声信号を含む変換仕様を用いればよい。
【００２７】
無線ＬＡＮ制御部１１１は、記憶部１５に記憶されている無線通信情報、タブレット端末９１１，９１２，９１３のＭＡＣアドレスを用いて、タブレット端末９１１，９１２，９１３との間で無線通信を実行する。これにより、無線ＬＡＮＡＰ１０とタブレット端末９１１，９１２，９１３との間でセキュリティー性の高い無線通信を実行する。また、無線ＬＡＮを利用することによって、複数のタブレット端末９１１，９１２，９１３を無線ＬＡＮＡＰ１０に対して並行に接続することができる。
【００２８】
無線ＬＡＮ制御部１１１は、無線ＬＡＮ通信部１２を介して、タブレット端末９１１，９１２，９１３から通信データを受信すると、通信データのヘッダを解析する。ヘッダに、無線ＬＡＮ内の他のタブレット端末９１１，９１２，９１３のアドレスがあれば、無線ＬＡＮ内の他のタブレット端末９１１，９１２，９１３に通信データを送信する。無線ＬＡＮ制御部１１１は、通信データのヘッダにネットワーク９００の端末のアドレスがあれば、通信データをネットワーク９００に送信する。
【００２９】
無線ＬＡＮ制御部１１１は、タブレット端末９１１，９１２，９１３からの通信データに表示データ転送コマンドが含まれていれば、通信データに含まれる表示データを再生制御部１１２に出力する。この際、無線ＬＡＮ制御部１１１は、表示データの転送元のタブレット端末のＭＡＣアドレスを関連付けして、再生制御部１１２に出力する。
【００３０】
再生制御部１１２は、無線ＬＡＮ制御部１１１から入力された表示データを、記憶部１５から読み出した変換仕様によって変換し、再生データを生成する。再生制御部１１２は、再生データを外部表示ＩＦ１４に出力する。
【００３１】
外部表示ＩＦ１４は、再生データを伝送ケーブル９３の伝送仕様に応じた信号（映像信号、音声信号、および制御信号）に変換して出力する。外部表示ＩＦ１４は、映像信号、音声信号、および制御信号を、伝送ケーブル９３を介して、表示装置９２に出力する。
【００３２】
このような構成とすることによって、タブレット端末９１１，９１２，９１３が表示装置９２に対して表示データの転送を行う際に、無線ＬＡＮＡＰ１０のみと無線通信を行えばよい。したがって、表示データ転送システムを簡素な構成で実現することができる。
【００３３】
また、従来構成では、タブレット端末９１１，９１２，９１３が表示装置９２に表示データを転送する際に、専用のＳＴＢと無線通信のネゴシエーションを行った後に、表示データの転送を行う必要があった。しかしながら、本実施形態の構成を用いることにより、このような表示データの転送の開始毎にネゴシエーションを行う必要がない。したがって、表示データの切り替え時間を短縮することができる。これにより、表示装置９２への動画や画像の表示開始の遅れを抑制することができる。
【００３４】
さらに、従来のＳＴＢ９０Ｐが送信するビーコンのように、表示データの転送のためのネゴシーションによる通信帯域の利用が生じないので、表示データの転送用の通信帯域を広く利用することができる。これにより、表示データをより多く転送することができる。
【００３５】
また、さらに、本実施形態の構成では、ネットワーク９０からタブレット端末９１１，９１２，９１３が動画を取得し、当該動画を含む表示データを表示装置９２に転送する場合に有効に作用する。具体的には、本実施形態では、タブレット端末９１１，９１２，９１３をネットワーク９０に接続する制御と、タブレット端末９１１，９１２，９１３からの表示データを表示装置９２に転送する制御を、無線ＬＡＮＡＰ１０で行っている。したがって、動画の取得のための無線通信情報と、表示データの転送のための無線通信情報とを別個にすることなく共通化できる。これにより、従来のように、表示データ転送のための装置が、動画の取得を行っているタブレット端末の無線通信情報を、表示データを切り替える毎に取得して、無線通信を確立する処理を行わなくてもよい。この結果、表示データの切り替えの遅延を抑制することができる。
【００３６】
なお、無線ＬＡＮ制御部１１１および再生制御部１１２は、記憶部１５に無線ＬＡＮアプリケーションおよび再生制御アプリケーションを記憶しておき、制御部１１で読み出して実行してもよい。この場合、次のフローに示す処理を実行すればよい。図４は、本発明の実施形態に係る無線ＬＡＮアクセスポイントの処理を示すフローチャートである。
【００３７】
まず、制御部１１は、無線ＬＡＮ通信を介して、タブレット端末９１１，９１２，９１３の情報として、端末識別情報および表示仕様を取得する（Ｓ１０１）。制御部１１は、取得したタブレット端末９１１，９１２，９１３の表示仕様と表示装置９２の表示仕様とを用いて、変換仕様を決定する。制御部１１は、端末識別情報と変換仕様とを関連付けして記憶部１５に記憶する（Ｓ１０２）。なお、タブレット端末９１１，９１２，９１３が変換仕様を予め保持していれば、制御部１１は、タブレット端末９１１，９１２，９１３の情報として、端末識別情報および変換仕様を取得すればよい。
【００３８】
制御部１１は、タブレット端末９１１，９１２，９１３から表示データの転送コマンドを受け付けると（Ｓ１０３：ＹＥＳ）、端末識別情報に基づいて、表示データの転送要求元のタブレット端末９１１，９１２，９１３に応じた変換仕様を記憶部１５から読み出す（Ｓ１０４）。
【００３９】
制御部１１は、読み出した変換仕様に基づいて、表示装置９２への表示データの転送制御を実行する（Ｓ１０５）。具体的には、制御部１１は、転送要求元のタブレット端末９１１，９１２，９１３から送信された表示データを変換仕様に基づいて変換し、再生データを生成する。制御部１１は、再生データを外部表示ＩＦ１４に出力する。外部表示ＩＦ１４は、表示装置９２の表示仕様に応じて再生データを変換し、映像信号、音声信号、および制御信号を生成し、表示装置９２に出力する。
【００４０】
制御部１１は、通信データが表示データの転送要求でなく（Ｓ１０３：ＮＯ）、無線ＬＡＮ通信の要求であれば（Ｓ１０６：ＹＥＳ）、宛先アドレスに基づいて、他のタブレット端末９１１，９１２，９１３またはネットワーク９００の端末に、通信データを転送する（Ｓ１０７）。なお、制御部１１は、通信データが表示データの転送要求でなく（Ｓ１０３：ＮＯ）、無線ＬＡＮ通信の要求でなければ（Ｓ１０６：ＮＯ）、通信データを解析して、解析内容に応じた処理を実行する。
【００４１】
次に、表示データの転送元のタブレット端末９１１，９１２，９１３を切り替える場合のフローについて、図５を参照して説明する。図５は、本発明の実施形態に係る無線ＬＡＮアクセスポイントの表示データの転送元の切替処理を示すフローチャートである。
【００４２】
制御部１１は、表示データの転送元のタブレット端末９１１，９１２，９１３の切替要求を受け付けると（Ｓ２０１：ＹＥＳ）、新たな表示データの転送元のタブレット端末９１１，９１２，９１３の端末識別情報（ＭＡＣアドレス）を確認する（Ｓ２０２）。この際、制御部１１は、取得した端末識別情報と、予め記憶部１５に記憶されている端末識別情報とが一致した場合にのみ、通信データを受け付け、表示データを取得する。一方、図１のタブレット端末９１４Ｎの場合のように、取得した端末識別情報と、予め記憶部１５に記憶されている端末識別情報とが一致しない場合には、制御部１１は、新たな表示データの転送元のタブレット端末９１４Ｎからの通信データを破棄する。これにより、無線ＬＡＮＡＰ１０によって認証されていないタブレット端末９１４Ｎからの表示データが表示装置９２に表示されることを防止できる。したがって、セキュリティー性の高い表示データ転送システムを実現できる。
【００４３】
なお、表示データの転送元のタブレット端末の切り替えは、タブレット端末から設定されるだけでなく、無線ＬＡＮＡＰ１０が設定することもできる。この場合、タブレット端末からの切替要求を受け付ける工程は、無線ＬＡＮＡＰ１０への操作入力による切替要求を受け付ける工程に置き換えればよい。
【００４４】
なお、制御部１１は、表示データの転送元のタブレット端末９１１，９１２，９１３の切替要求を受け付けない期間は（Ｓ２０１：ＮＯ）、既に指定されているタブレット端末９１１，９１２，９１３からの表示データを表示装置９２に転送する処理を実行する。
【００４５】
制御部１１は、端末識別情報に対応する変換仕様を記憶部１５から読み出す（Ｓ２０３）。
【００４６】
制御部１１は、切替後のタブレット端末（新たな表示データの転送元のタブレット端末）９１１，９１２，９１３に対して、表示データの送信開始コマンドを送信する（Ｓ２０４）。
【００４７】
制御部１１は、新たな表示データの配信元のタブレット端末９１１，９１２，９１３からの表示データを含む通信データを受信する（Ｓ２０５）。
【００４８】
制御部１１は、記憶部１５から変換仕様を読み出し、読み出した変換仕様を用いて表示データを変換して再生データを生成し、外部表示ＩＦ１４に出力する（Ｓ２０６）。
【００４９】
このような構成および処理を用いることによって、表示データの転送元のタブレット端末９１１，９１２，９１３が切り替わっても、新たな表示データの転送元のタブレット端末９１１，９１２，９１３に対するネゴシエーションを行わなくてもよい。これにより、表示装置９２に表示する画像／動画を高速に切り替えることができる。
【符号の説明】
【００５０】
１０：無線ＬＡＮアクセスポイント
１１：制御部
１２：無線ＬＡＮ通信部
１３：ＷＡＮ側ＩＦ
１４：外部表示ＩＦ
１５：記憶部
９２：表示装置
９３：伝送ケーブル
１１１：無線ＬＡＮ制御部
１１２：再生制御部
９００：ネットワーク
９１１，９１２，９１３，９１４Ｎ：タブレット端末
【図１】
0006599847.tif 000002
【図２】
0006599847.tif 000003
【図３】
0006599847.tif 000004
【図４】
0006599847.tif 000005
【図５】
0006599847.tif 000006
【図６】
0006599847.tif 000007